(57)【要約】【課題】筐体に脚部を取り付けたまま音質を調整できるようにする。【解決手段】音響装置１０は、筐体１１と、筐体１１の底板１２に取り付けられ、筐体１１に対して可動して載置面に接地する接地位置を変更可能な複数の脚部２０とを備える。筐体１１の底板には、脚部１１の各々について、接地位置を位置決めするために用いられるマーク１２２が付されている。音響装置１０において、筐体１１に脚部２０を取り付けたまま脚部２０を可動させて載置面に対する接地位置を変えることができる。【選択図】図１
2017224369.tif 000002
【特許請求の範囲】
【請求項１】
筐体と、
前記筐体の底板に取り付けられ、前記筐体に対して可動して載置面に接地する接地位置を変更可能な複数の脚部と
を備えることを特徴とする音響装置。
【請求項２】
前記筐体の底板には、前記複数の脚部の各々について、前記接地位置を位置決めするために用いられるマークが付される、請求項１に記載の音響装置。
【請求項３】
前記複数の脚部の各々は、当該脚部の前記接地位置を所定位置に保持するラッチ機構を備える、請求項２に記載の音響装置。
【請求項４】
前記複数の脚部を可動させる動作部と、
前記動作部を動作させて前記脚部の接地位置を制御する制御部と、を備えた、
請求項１から請求項３のいずれか１項に記載の音響装置。
【請求項５】
音響装置と前記音響装置を制御する端末装置とを備え、
前記音響装置は、
筐体と、
前記筐体の底板に取り付けられ、前記筐体に対して可動して載置面に接地する接地位置を変更可能な複数の脚部と
前記複数の脚部を可動させる動作部と、
前記端末装置と通信する第１通信部と、
前記動作部を動作させて前記複数の脚部の接地位置を制御する制御部と、を備え、
前記端末装置は、
利用者の操作を受け付ける操作部と、
前記操作部で受け付けた前記利用者の操作に応じて、前記動作部を制御する制御データを生成する制御データ生成部と、
前記制御データを前記音響装置に送信する第２通信部と、を備え、
前記音響装置の前記制御部は、前記第１通信部を用いて前記制御データを受信すると、受信した前記制御データに基づいて前記動作部を制御する、
ことを特徴とする音響システム。
【請求項６】
前記端末装置は、音楽の種類と前記制御データとを対応付けて記憶した記憶部を備え、
前記制御データ生成部は、前記操作部で、利用者が音楽の種類を選択したことを受け付けると、受け付けた音楽の種類に応じた前記制御データを前記記憶部から読み出して、前記制御データを生成する、
ことを特徴とする請求項５に記載の音響システム。
【発明の詳細な説明】
【技術分野】
【０００１】
本発明は、筐体を支持する脚部を備えた音響装置及び音響システムに関する。
【背景技術】
【０００２】
オーディオ装置などの音響装置は、一般に、筐体の底板に筐体を支持する複数の脚部を備える。この脚部が載置面に接触する接地位置や接地面積によって、筐体の振動の大きさや周波数が異なる。特許文献１には、オーディオ装置の自重に応じて２通りの筐体（点接触で載置する筐体と面接触で載置する筐体）に用いることができる脚部の構造が開示されている。特許文献１の脚部には、その下面から先端が突没可能なボス（リブ）が設けられている。自重が軽いオーディオ装置では、底板に孔が形成されていない筐体に脚部を取り付ける。これによればオーディオ装置を載置面に載置したときにボスの先端とは反対側の端部が底板の下面に当接することで、ボスの先端が脚部の下面から下方に突出し、ボスによる点接触にて載置される。これに対して、自重が重いオーディオ装置では、底板に孔が形成された筐体に脚部を取り付ける。これによりオーディオ装置を載置面に載置したときにボスの先端とは反対側の端部が底板の孔に挿入されることで、ボスの先端が脚部内に没入し、脚部の下面による面接触にて載置される。
【先行技術文献】
【特許文献】
【０００３】
【特許文献１】特開平８−７９８７２号公報
【発明の概要】
【発明が解決しようとする課題】
【０００４】
しかしながら、特許文献１の構成では、音質を変えるために脚部の接地面積を変えようとすれば、筐体の構成自体を、ボスが挿入する孔が形成された筐体と当該孔が形成されていない筐体とのいずれかに変えて、脚部を付け替えなければならない。このため、筐体に脚部を取り付けたまま音質を変えることはできず、利用者が好みに応じて音質を調整することもできない。そもそも特許文献１はオーディオアンプなどの自重が重いオーディオ装置では、音質よりもむしろ設置の安定性を高めるために載置面に面接触で載置できるようにしたものである。
本発明は、このような背景の下に、筐体に脚部を取り付けたまま音響装置から出力される信号の音質を調整することを解決課題の一つとする。
【課題を解決するための手段】
【０００５】
以上の課題を解決するために、本発明に係る音響装置の一態様は、筐体と、前記筐体の底板に取り付けられ、前記筐体に対して可動して載置面に接地する接地位置を変更可能な複数の脚部とを備える。
この態様によれば、筐体に対して可動する脚部が筐体の底板に取り付けられるから、筐体に脚部を取り付けたまま脚部を可動させて載置面に接地する接地位置を変更することができる。
【０００６】
上記態様において、筐体の底板には、複数の脚部の各々について、前記接地位置を位置決めするために用いられるマークが付される。この態様によれば、利用者はマークを目印にして複数の脚部の各々を可動させることにより、容易に複数の脚部の位置決めを行うことができる。また、各脚部の接地位置の組み合わせを一意に定めることができる。
【０００７】
上記態様において、複数の脚部の各々は、当該脚部の接地位置を所定位置に保持するラッチ機構を備えることが好ましい。
【０００８】
上記態様において、前記複数の脚部を可動させる動作部と、動作部を動作させて脚部の接地位置を制御する制御部とを備えることが好ましい。
【０００９】
本発明に係る音響システムの一態様は、音響装置と前記音響装置を制御する端末装置とを備え、前記音響装置は、筐体と、前記筐体の底板に取り付けられ、前記筐体に対して可動して載置面に接地する接地位置を変更可能な複数の脚部と、前記複数の脚部を可動させる動作部と、前記端末装置と通信する第１通信部と、前記動作部を動作させて前記複数の脚部の接地位置を制御する制御部と、を備え、前記端末装置は、利用者の操作を受け付ける操作部と、前記操作部で受け付けた前記利用者の操作に応じて、前記動作部を制御する制御データを生成する制御データ生成部と、前記制御データを前記音響装置に送信する第２通信部と、を備え、前記音響装置の前記制御部は、前記第１通信部を用いて前記制御データを受信すると、受信した前記制御データに基づいて前記動作部を制御する。  
【００１０】
上記態様において、前記端末装置は、音楽の種類と前記制御データとを対応付けて記憶した記憶部を備え、前記制御データ生成部は、前記操作部で、利用者が音楽の種類を選択したことを受け付けると、受け付けた音楽の種類に応じた前記制御データを前記記憶部から読み出して、前記制御データを生成する。
【図面の簡単な説明】
【００１１】
【図１】第１実施形態に係る音響装置の構成を示す外観斜視図である。
【図２】脚部の側面図である。
【図３】脚部の底面図である。
【図４】音響装置に取り付けた脚部の断面図である。
【図５】音響装置の底面図である。
【図６】接地位置パターンと各脚部の接地位置を示す図である。
【図７】第１実施形態の変形例に係る音響装置の脚部の断面図である。
【図８】第１実施形態の変形例に係る音響装置の底面図である。
【図９】第２実施形態に係る音響システムの構成図である。
【図１０】第２実施形態に係る音響システムの構成を示すブロック図である。
【図１１】図１０に示すデータテーブルの具体例を示す図である。
【図１２】端末装置の調整モード選択画面を示す図である。
【図１３】端末装置のマニュアル調整画面を示す図である。
【図１４】端末装置の機種選択画面を示す図である。
【図１５】端末装置の音楽の種類の選択画面を示す図である。
【発明を実施するための形態】
【００１２】
＜第１実施形態＞
以下、本発明の音響装置の第１実施形態について図面を参照しながら説明する。本実施形態に係る音響装置は、例えばオーディオアンプなどのオーディオ装置である。ただし、オーディオアンプに限られず、ＣＤ（Compact Disc）あるいはＤＶＤ（digital versatile disc）、ＢＤ（Blu-ray(登録商標) Disc）などの光ディスクをドライブして音響再生を行うディスクプレーヤなどにも適用可能である。
【００１３】
図１は、本実施形態に係る音響装置１０の構成を示す外観斜視図である。図１に示すように、音響装置１０は底板１２と天板１３と前面パネル１４と背面パネル１５と左右の側板１６に囲まれた箱状の筐体１１を備える。天板１３と側板１６は一体で構成され、前面に前面パネル１４を配置すると共に背面に背面パネル１５を配置し、底板１２上に天板１３を被せて、底板１２に側板１６をネジなどで締結することで、筐体１１を箱状に構成する。なお、天板１３と側板１６は別々に構成してもよい。
【００１４】
前面パネル１４には電源スイッチ１４２や操作スイッチ１４４などのスイッチ類や表示部１４６が設けられ、背面パネル１５には図示しない端子類が設けられている。端子類には入力端子と出力端子が含まれる。入力端子からは音楽や音声、動画などの信号が入力され、音響装置１０により増幅される。出力端子には、スピーカやディスプレイが接続され、音響装置１０により増幅された音楽や音声、動画などの信号が出力される。筐体１１内の底板１２の上面には、図示しない電気回路シャーシやメカシャーシ等が固定される。筐体１１の形状や大きさは、図示したものに限られない。底板１２の下面には筐体１１を支持する複数の脚部２０が、筐体１１に対して可動するように取り付けられている。
本実施形態では、４つの脚部２０をそれぞれ、底板１２の四隅付近の各々に回転可能に取り付けられた場合を例示している。なお、脚部２０の個数は４つに限られず、筐体１１の形状や大きさに合わせて例えば３つであってもよく、５つ以上であってもよい。
【００１５】
ここで、本実施形態の脚部２０の具体的構成例について説明する。図２乃至図４は、図１に示す脚部２０のうちの１つの構成を示す図である。図２は、脚部２０を側方から見た側面図であり、図３は、脚部２０を下方から見た底面図である。図４は、脚部２０を底板１２に取り付けた場合の断面図である。
【００１６】
本実施形態の４つの脚部２０はそれぞれ同様の構成であるため、そのうちの１つを代表して説明する。図２及び図３に示すように、脚部２０は略有底円筒状である。図４に示すように、脚部２０の中心Ｇを通る上下方向の直線を中心線Ｇ−Ｇとすると、脚部２０は中心線Ｇ−Ｇの周りを囲んで内側に配置される内側円筒部２２と、内側円筒部２２の外側に配置される外側円筒部２４と、底部２６とを備える。内側円筒部２２と外側円筒部２４とは所定の間隔で離間している。
【００１７】
図４に示すように、内側円筒部２２と外側円筒部２４との間には、内側円筒部２２の外周から外側円筒部２４の内周に放射線状に延びる複数のリブ２３が形成されている。例えば４つのリブ２３を周方向に沿って等間隔で配置するようにしてもよい。なお、リブ２３の数はこれに限られず、また必ずしもリブ２３が設けられていなくてもよい。
【００１８】
底部２６は、円板状に形成され、中心線Ｇ−Ｇを通る貫通孔２６２を有する。この貫通孔２６２の縁部に内側円筒部２２の下端が連結されており、底部２６の外周の縁部に外側円筒部２４の下端が連結されている。このように、内側円筒部２２の下端から外側円筒部２４の下端までの開口は底部２６によって閉じられる。
【００１９】
内側円筒部２２の上端の開口は、円板部材２７で閉じられている。円板部材２７は、底板１２に回転可能に取り付けられる。具体的には図４に示すように、円板部材２７には、中心線Ｇ−Ｇを軸芯とする貫通孔２７２が形成され、貫通孔２７２には、ネジ２５が挿入される。ネジ２５は貫通孔２７２に隙間を空けて挿入されて、底板１２にねじ込まれて固定される。これにより、脚部２０は底板１２に対して中心線Ｇ−Ｇを中心に回転可能となる。なお、ネジ２５は、筐体１１の振動で脚部２０が動いてしまわない程度に締め付けることが好ましい。
【００２０】
図４に示すように、底板１２の下面と円板部材２７の上面との間に摺動シート２８を介在させると共に、ネジ２５の頭部２５２と円板部材２７の下面との間に摺動シート２９を介在させるようにしてもよい。このように、摺動シート２８を介して円板部材２７の上面を底板１２に接触させて、摺動シート２９を介してネジ２５の頭部２５２を接触させることによって、円板部材２７が底板１２に対して回転し易くすることができる。
【００２１】
本実施形態の脚部２０の底部２６には、底部２６の下面から下方に突出する断面矩形の突起部３０が設けられている。音響装置１０を載置面Ｐに載置したときに、突起部３０の下面が載置面Ｐに接触する。突起部３０は、脚部２０の中心Ｇからずれた位置に配置される。これにより、各脚部２０を中心線Ｇ−Ｇの周りに回転させることで、各脚部２０の突起部３０の位置を変えることができる。本実施形態の底部２６には、下方に突出する略円形状の段差部２６４が形成されており、段差部２６４の下面に突起部３０が形成されている。即ち、４個の脚部２０の各々は、筐体１１の底板１２に取り付けられ、筐体１１に対して可動して載置面Ｐに接地する接地位置を変更可能である。
なお、突起部３０の位置や形状は、図示したものに限られない。本実施形態では、突起部３０の下面の形状が矩形の場合を例示しているが、例えば突起部３０の下面の形状は菱形であってもよく、また円形や楕円形であってもよい。
【００２２】
このような本実施形態に係る音響装置１０の構成によれば、各脚部２０を筐体１１に対して中心線Ｇ−Ｇを中心に回転させることで各突起部３０の載置面Ｐに対する接地位置を変えることができる。各突起部３０の接地位置が変えることで、載置面Ｐに対する筐体１１の荷重の重心も変わる。
音響装置において、その固有振動周波数によって出力される信号の音質が変化することが知られている。音響装置内の配線などが、固有振動周波数に応じた周波数で振動すると、この振動に応じて配線のインピーダンスなどの電気的特性が変化する。したがって、音響装置の固有振動周波数や振動の大きさを変化させることができれば、音質を変化させることが可能となる。
上述したように、脚部２０を回転させると、突起部３０の載置面Ｐに対する接地位置が変わるので、筐体１１の固有振動周波数及び振動の大きさを変化させることができる。したがって、本実施形態によれば、筐体１１に脚部２０を取り付けたまま脚部２０を回転させるだけで音質を変えることができ、利用者が好みに応じて音質を調整できる。また、脚部２０を付け替える必要もなく、工具を使わずに、手で簡単に脚部２０を回転させることができる。さらに経年変化によって筐体１１の振動が変化した場合でも、脚部２０を回転させることで変化分を簡単に打ち消すことができる。これにより、初期の音質を保つことができる。
【００２３】
筐体１１の固有振動周波数は、各突起部３０の接地位置を変えることによって、調整することができる。そこで、本実施形態では、４つの突起部３０の接地位置の組み合わせを接地位置パターンとして定めておく。利用者が複数の接地位置パターンから選択した接地位置パターンを適用することにより、音響装置１０から出力される信号を所望に音質に調整することが可能となる。例えば、音楽の種類（ジャンル）に応じた複数の接地位置パターンを定めてもよい。
接地位置パターンについて説明する。ここでは、３つの接地位置パターンＡ、Ｂ、及びＣを例に挙げる。図５は、音響装置１０を下から見た底面図である。図６は、図５の各接地位置パターンＡ、Ｂ、及びＣの各々に対応する音響装置１０の底面図を表にしたものである。
【００２４】
図５に示すように、４つの脚部２０（Ｌ１〜Ｌ４）の各々に、接地位置パターンＡに対応するマーク１２２と、接地位置パターンＢに対応するマーク１２２と、接地位置パターンＣに対応するマーク１２２とが付されている。
具体的には接地位置パターンＡのマーク１２２は、脚部２０の中心Ｇを中心として放射線状に延びる複数の線分と「Ａ」との文字からなる。接地位置パターンＢのマーク１２２は、脚部２０の中心Ｇを中心として放射線状に延びる複数の線分と「Ｂ」との文字からなる。接地位置パターンＣのマーク１２２は、脚部２０の中心Ｇを中心として放射線状に延びる複数の線分と「Ｃ」との文字からなる。図５のマーク１２２、３０２はそれぞれ直線形状であるが、これに限られず、点形状などであってもよい。
【００２５】
底板１２の接地位置パターンＡ、Ｂ及びＣの各々に対応するマーク１２２のいずれかに、突起部３０のマーク３０２を合わせるように、利用者が各脚部２０を回転させる。これにより、接地位置パターンＡ、Ｂ、及びＣのいずれかに調整できる。
このように、マーク１２２に合わせることで脚部２０の突起部３０の接地位置を所望の位置に簡単に位置決めすることができる。また、接地位置パターンＡ、Ｂ、及びＣをそれぞれ、音楽の種類に対応させることもできる。例えば音楽の種類がロックのときには接地位置パターンＡ、ジャズのときには接地位置パターンＢ、クラッシックのときには接地位置パターンＣとする。これにより、各脚部２０を回転させて各突起部３０の位置を接地位置パターンＡ、Ｂ、及びＣのいずれかに合わせることで、その音楽の種類に最適な音質に容易に調整することができる。なお、図５では、接地位置パターンＡ、Ｂ、及びＣのマーク１２２を底板１２に直接付した場合を例示したが、これに限られず、接地位置パターンＡ、Ｂ、及びＣのマーク１２２を付したテンプレートを底板１２に貼り付けるようにしてもよい。また、音響装置１０とは、別体としてテンプレートを構成してもよい。この場合、テンプレートは、各脚部２０に対応する箇所に穴が形成されている。利用者はこのテンプレートを音響装置１０の底板１２にあてがうことによって、簡単に音楽の種類に応じた音質に調整することが可能となる。
【００２６】
（第１実施形態の変形例）
図７及び図８は、第１実施形態の変形例に係る音響装置１０を説明するための図である。図７は、本変形例の音響装置１０に取り付けられる脚部２０の構成を示す断面図であり、図４に対応する。図８は、脚部２０が取り付けられていない音響装置１０を下方から見た底面図である。図７の脚部２０は、図４の構成にラッチ機構４０を設けたものである。ラッチ機構４０は、脚部２０の接地位置（突起部３０が載置面Ｐに接地する位置）を所定位置に保持（ラッチ）する。ラッチ機構４０は、各脚部２０側に設けられる１つの係止凸部４２と、底板１２側に各脚部２０に対応して設けられる複数の係止凹部４４とを備える。
【００２７】
具体的には図７に示すように、各脚部２０内には、１つの係止凸部４２が脚部２０の上方から突出し、上下に摺動可能に設けられている。脚部２０には、係止凸部４２を底板１２に押しつけるように付勢するバネ４３が設けられている。係止凸部４２は、脚部２０を中心線Ｇ−Ｇの周りに回転させたときに、係止凸部４２と筐体１１の底板１２との接触点の軌跡は、中心線Ｇ−Ｇを中心とする円を描く。
【００２８】
図８に示すように、各脚部２０の係止凸部４２と筐体１１の底板１２との接触点の円状の軌跡上に、複数の係止凹部４４が形成されている。図８では、各脚部２０の係止凸部４２に対して、図６に示す接地位置パターンＡ、Ｂ、及びＣに対応するマーク１２２の位置で保持されるように、３つずつの係止凹部４４を形成した場合を例示する。
【００２９】
このような変形例の構成によれば、各脚部２０を回転させると、係止凸部４２が３つの係止凹部４４のいずれかに挿入されることで、接地位置パターンＡ、Ｂ、及びＣのいずれかの位置で保持される。このように脚部２０が所定位置に保持されることにより、各脚部２０の接地位置が接地位置パターンＡ、Ｂ、及びＣのいずれかになるように確実に調整できる。また、保持されることによって、音響装置１０の振動によって各脚部２０が回転してしまわないようにすることができる。なお、係止凹部４４の個数は、各脚部２０の係止凸部４２に対して３つずつに限られるものではなく、例えば４つ以上ずつ設けてもよい。例えば接地位置パターンＡ、Ｂ、及びＣの途中の位置でも脚部２０が保持されるように係止凹部４４を形成してもよい。
【００３０】
＜第２実施形態＞
本発明の第２実施形態について説明する。以下に例示する各形態において作用や機能が第１実施形態と同様である要素については、第１実施形態の説明で使用した符号を流用して各々の詳細な説明を適宜に省略する。第１実施形態では、筐体１１の底板１２に脚部２０をネジ２５で回転自在に軸支して手動で回転可能とした場合を例示したが、第２実施形態では、各脚部２０をモーター５０の回転軸５２で軸支してモーター５０で回転可能とした場合を例示する。モーター５０は脚部２０を可動する動作部として機能する。
【００３１】
図９は、第２実施形態に係る音響システムの構成図である。図９に示すように、第２実施形態に係る音響システムは、音響装置１０と端末装置６０とを備える。第２実施形態の音響装置１０は、筐体１１内に４つの脚部２０に対応する４つのモーター５０が設けられている。各モーター５０の回転軸５２は、底板１２の貫通孔２７２に挿入され、脚部２０の貫通孔２７２に固定される。各モーター５０は、端末装置６０から受信する制御データに基づいて駆動される。各モーター５０は、例えば、スッテピングモーターで構成される。ステッピングモーターは、基準位置に対する角度を駆動パルスの数によって制御することができる。
【００３２】
図１０は、図１の音響装置１０と端末装置６０の構成を示すブロック図である。音響装置１０は、制御部１０２と第１通信部１０４と各モーター５０とを備える。第１通信部１０４は、Bluetooth（登録商標）やWi-Fi（登録商標）などの近距離無線通信によって情報の送信または受信を行う。第１通信部１０４は、端末装置６０から送信される制御データを受信して、制御部１０２に出力する。制御部１０２は、各モーター５０を動作させて４個の脚部２０の接地位置を制御する。具体的には、制御部１０２は、制御データに基づいて、各モーター５０を駆動する。これにより、各脚部２０の接地位置が調整される。
端末装置６０は、例えば、スマートフォンなどの携帯端末装置である。端末装置６０は、タッチパネルディスプレイ６１と、ＣＰＵ６２と、メモリ６３と、第２通信部６６とを備える。ＣＰＵ６２は、端末装置６０の全体を制御する制御中枢として機能する。また、ＣＰＵ６２は、メモリ６３に記憶されている制御プログラム６３３を実行することにより、制御データ生成部６２１として機能する。タッチパネルディスプレイ６１は、各種の情報を表示する表示部６４と、利用者の操作を受け付ける操作部６５として機能する。第２通信部６６は、Bluetooth（登録商標）やWi-Fi（登録商標）などの近距離無線通信によって情報の送信または受信を行う。
【００３３】
メモリ６３は、ＲＡＭ（Random Access Memory）やＲＯＭ（Read Only Memory）を備える。メモリ６３には制御プログラム６３３及び制御プログラムで用いられるデータが格納されるとともに、ＣＰＵ６２の作業領域として機能する。メモリ６３は、例えば非一過性（non-transitory）の記録媒体であり、ＲＡＭやＲＯＭ等の半導体記録媒体が好適であるが、光学式記録媒体や磁気記録媒体等の公知の任意の形式の記録媒体を包含し得る。なお、本明細書中において、「非一過性」の記録媒体とは、一過性の伝搬信号（transitory, propagating signal）を除く全てのコンピュータ読み取り可能な記録媒体を含み、揮発性の記録媒体を除外するものではない。
【００３４】
メモリ６３は、音楽の種類及び接地位置パターンと各脚部２０の接地位置の角度とを関連づけたデータテーブル６３２を記憶する記憶部として機能する。例えば、図１１に示す例では、データテーブル６３２は、複数の機種Ｘ１、Ｘ２、Ｘ３ごとに異なるテーブルが設けられている。これによって、音響装置１０の機種ごとに音楽の種類（ジャンル）に応じた各脚部２０の接地位置の角度を設定できる。図１１のデータテーブル６３２には、音楽の種類及び接地位置パターンＡ、Ｂ、及びＣと各脚部２０（Ｌ１〜Ｌ４）の角度の組合せが関連づけて記録されている。各脚部２０（Ｌ１〜Ｌ４）の角度は、突起部３０の載置面Ｐに対する接地位置を指定するものであって、基準位置から所定方向（例えば、左回り）に当該脚部２０をどれだけ回転させればよいかを指定する。
【００３５】
例えば機種Ｘ１のデータテーブル６３２には、音楽の種類ＪＡに接地位置パターンＡと各脚部２０（Ｌ１〜Ｌ４）の角度Ａ１〜Ａ４が関連づけて記憶されている。例えば音楽の種類ＪＡはロックであり、ＪＢはジャズであり、ＪＣはクラッシックである。端末装置６０で音楽の種類ＪＡが選択されると、制御データ生成部６２１は、データテーブル６３２から音楽の種類ＪＡに対応する接地位置パターンＡの角度Ａ１〜Ａ４を読み出して、角度Ａ１〜Ａ４を示す制御データを生成する。この制御データは第２通信部６６から音響装置１０に送信される。音響装置１０の制御部１０２は、第１通信部１０４で端末装置６０からの制御データを受信すると、受信した制御データに基づいて各モーター５０を制御し、各脚部２０（Ｌ１〜Ｌ４）を接地位置パターンＡの角度Ａ１〜Ａ４の角度に回転させる。こうして音楽の種類に応じて自動的に、各脚部２０（Ｌ１〜Ｌ４）の突起部３０が接地位置パターンＡの位置に調整される。また、各モーター５０で各脚部２０を回転させるので、重たい音響装置１０でも、利用者が筐体１１を持ち上げずに各脚部２０の接地位置を調整できる。
【００３６】
本実施形態では、端末装置６０において音響装置１０の制御用のアプリケーションプログラム（アプリ）を実行させることで、タッチパネルディスプレイ６１によって音響装置１０の機種の選択や音楽の種類の選択の操作が可能になる。図１２乃至図１５は、アプリケーションプログラムを実行した場合にタッチパネルディスプレイ６１に表示される画面の具体例である。図１２は、アプリケーションプログラムを実行した場合に最初に表示される調整モード選択画面である。図１３は、図１２のマニュアル調整がタッチされた場合に表示されるマニュアル調整画面である。図１４は、図１２のオート調整がタッチされた場合に表示される機種選択画面であり、図１５は、図１４の機種がタッチされた場合に表示される音楽の種類の選択画面である。
【００３７】
端末装置６０において、音響装置１０の制御用のアプリケーションプログラムが実行されると、図１２に示す調整モード選択画面がタッチパネルディスプレイ６１に表示される。この調整モード選択画面には、「マニュアル調整」と「オート調整」の２つのモードを選択するボタンが表示される。「マニュアル調整」は、タッチパネルディスプレイ６１で各脚部２０を所望の角度に調整するモードである。「オート調整」は、音響装置１０の機種と音楽の種類を選択することで自動的に各脚部２０を調整するモードである。
【００３８】
図１２に示す調整モード選択画面において、「マニュアル調整」のボタンがタッチされた場合には、図１３に示すマニュアル調整画面がタッチパネルディスプレイ６１に表示される。マニュアル調整画面には、各脚部２０（Ｌ１〜Ｌ４）と「送信」ボタンが表示される。各脚部２０（Ｌ１〜Ｌ４）に利用者がタッチして所望の角度に回転させて「送信」ボタンをタッチすると、ＣＰＵ６２は操作部６５から出力される信号に応じて、制御データを生成する。この制御データは、各脚部２０の角度を指定する。
制御データが音響装置１０に送信され、音響装置１０は制御データを受信すると各脚部２０（Ｌ１〜Ｌ４）をタッチパネルディスプレイ６１の角度と同じ角度に調整する。これにより、各脚部２０（Ｌ１〜Ｌ４）を所望の角度に調整できるので、所望の音質に調整することができる。
【００３９】
図１２に示す調整モード選択画面において、「オート調整」のボタンがタッチされた場合には、図１４に示す機種選択画面がタッチパネルディスプレイ６１に表示される。機種選択画面には、図１１のデータテーブル６３２に対応して「機種Ｘ１」「機種Ｘ２」「機種Ｘ３」のボタンが表示される。例えば「機種Ｘ１」がタッチされると、図１５に示す音楽の種類の選択画面がタッチパネルディスプレイ６１に表示される。音楽の種類の選択画面は、図１１のデータテーブル６３２に対応して各機種ごとの画面が表示される。
【００４０】
図１５に示す音楽の種類の選択画面には、図１１のデータテーブル６３２に対応して音楽の種類「ＪＡ」「ＪＢ」「ＪＣ」のボタンと「送信」ボタンが表示される。図１５の「ＪＡ」「ＪＢ」「ＪＣ」のいずれかのボタンを利用者がタッチし、さらに「送信」ボタンをタッチすると、ＣＰＵ６２は、利用者が選択した音楽の種類に応じた角度をデータテーブル６３２から読み出して、制御データを生成する。この後、ＣＰＵ６２は、制御データを音響装置１０に送信する。音響装置１０は制御データを受信すると、各脚部２０（Ｌ１〜Ｌ２）を接地位置パターンの角度に調整する。これにより、各脚部２０（Ｌ１〜Ｌ２）を接地位置パターンの角度に調整できるので、音楽の種類に合った音質に調整することができる。なお、特定の音響装置１０の制御を行う場合など予め音響装置１０の機種が分かっている場合もある。そのような場合には、「オート調整」のボタンがタッチされた場合に、音響装置１０の機種選択画面を表示せずに、音楽の種類の選択画面を表示させるようにしてもよい。
【００４１】
＜変形例＞
本発明は上述した各実施形態に限定されるものではなく、以下に述べる各種の変形が可能である。また、各実施形態及び各変形例を適宜組み合わせてもよい。
第１実施形態及び第２実施形態では、脚部２０を可動可能な構成として、脚部２０を回転可能とした場合を例示したが、これに限られず、脚部２０をスライド可能に構成してもよい。
上述した各実施形態においては、全ての脚部が、筐体１１の底板１２に対して可動するものとして説明したが、本発明はこれに限定されるものではなく、一部の脚部が筐体１１の底板１２に対して可動し、その他の脚部が筐体１１の底板１２に固定されてもよい。この場合でも、一部の脚部については、可動できるので、筐体１１の固有振動周波数及び振動の大きさの少なくとも一方を調整することができる。
また、第２実施形態では、データテーブル６３２を端末装置６０のメモリ６３に記憶したが、本発明はこれに限定されるものではなく、音響装置１０に記憶してもよい。この場合、オート調整において、端末装置６０の制御データ生成部６２１は、音楽の種類を示すデータを制御データとして生成する。第２通信部６６によって当該制御データが音響装置１０に送信されると、音響装置１０の第１通信部１０４が制御データを受信する。制御部１０２は、データテーブル６３２を参照して、受信した制御データの示す音楽の種類に対応した各脚部２０の角度を読み出す。そして、制御部１０２は、読み出した各脚部２０の角度となるように各モーター５０を制御する。
【符号の説明】
【００４２】
１０…音響装置、１０２…制御部、１０４…第１通信部、１１…筐体、１２…底板、１２２…マーク、２０…脚部、２２…内側円筒部、２３…リブ、２６…底部、２８…摺動シート、２９…摺動シート、３０…突起部、３０２…マーク、４０…ラッチ機構、４２…係止凸部、４３…バネ、４４…係止凹部、５０…モーター、６０…端末装置、６１…タッチパネルディスプレイ、６２…ＣＰＵ、６２１…制御データ生成部、６３…メモリ、６３２…データテーブル、６４…表示部、６５…操作部、６６…第２通信部、Ａ１〜Ａ４…角度、Ｐ…載置面、Ｘ１、Ｘ２、Ｘ３…機種。
【図１】
2017224369.tif 000003
【図２】
2017224369.tif 000004
【図３】
2017224369.tif 000005
【図４】
2017224369.tif 000006
【図５】
2017224369.tif 000007
【図６】
2017224369.tif 000008
【図７】
2017224369.tif 000009
【図８】
2017224369.tif 000010
【図９】
2017224369.tif 000011
【図１０】
2017224369.tif 000012
【図１１】
2017224369.tif 000013
【図１２】
2017224369.tif 000014
【図１３】
2017224369.tif 000015
【図１４】
2017224369.tif 000016
【図１５】
2017224369.tif 000017